(57)【要約】【課題】構成が簡単で、使用者が手軽に扱うことができ、かつ、多様な方法で遊ぶことができるぬいぐるみを提供する。【解決手段】人の手を挿入する挿入口２０が開口された筒状の胴体部２と、この胴体部２に連続する頭部３とから構成され、頭部３には、挿入された手で操作することにより上下に開閉する口部４が形成されるとともに、口部４の上半部４ａおよび下半部４ｂと略同一寸法の一対の平板が、各半部４ａ，４ｂにそれぞれ装着される。また、頭部３には、音声チップを含む回路板、スピーカー、バッテリー、スイッチ６１からなる音声装置６が配置されるとともに、この音声装置６のスイッチ６１が口部４に備えられ、口部４の開閉によりスイッチ６１のオン／オフが選択されて、音声の出力が制御される。【選択図】  図１
2005261579.tif 000002
【特許請求の範囲】
【請求項１】
人の手を挿入する挿入口が開口された筒状の胴体部と、この胴体部に連続する頭部とから構成され、
頭部には、挿入された手で操作することにより上下に開閉する口部が形成されるとともに、口部の上半部および下半部と略同一寸法の一対の平板が、各半部にそれぞれ装着されることを特徴とするぬいぐるみ。
【請求項２】
前記頭部には、音声チップを含む回路板、スピーカー、バッテリー、スイッチからなる音声装置が配置されるとともに、この音声装置のスイッチが口部に備えられ、
口部の開閉によりスイッチのオン／オフが選択されて、音声の出力が制御されることを特徴とする請求項１記載のぬいぐるみ。
【発明の詳細な説明】
【技術分野】
【０００１】
本発明は、ぬいぐるみに関する。
【背景技術】
【０００２】
ぬいぐるみは、使用者を和ませたり、楽しませるものであって、動物などの形態に形成したものが一般的である。そして、使用者の意思によってぬいぐるみを動かすことができたり、音声を発することができると、より一層、使用者を和ませたり、楽しませることができる。
【０００３】
このような、使用者の意思によって動かしたり、音声を発することができるぬいぐるみとして、例えば特許文献１に記載されているような、ぬいぐるみ玩具が提案されている。
【０００４】
このぬいぐるみ玩具は、ぬいぐるみ本体腹部を押圧することにより、本体内に設置された歯車を介してフライホイールを回転させ、フライホイールの慣性力によりクランク機構に上下運動が伝達されて、頭部が上下に開閉するとともに、腹部を押圧することによりスイッチが閉成し、音声制御回路により音声が出力されるものである。
【特許文献１】特開２０００−１４０４５５号公報
【発明の開示】
【発明が解決しようとする課題】
【０００５】
しかしながら、上記した特許文献１に記載のぬいぐるみ玩具では、歯車、フライホイール、およびクランク機構などの動力伝達機構が必要で、ぬいぐるみ玩具を動作させるための装置が複雑である。このためにぬいぐるみの重量が嵩んでしまい、力の弱い子どもが自由に持ち運んで、遊ぶことが困難となってしまう。また、頭部を上下に開閉し、音声を発するために必要なのは、使用者がぬいぐるみ本体の腹部を押圧するという操作だけなので、遊び方やぬいぐるみの動きが画一的で、飽きやすい。
【０００６】
本発明は、このような事情に鑑み創案されたもので、構成が簡単で、使用者が手軽に扱うことができ、かつ、多様な方法で遊ぶことができるぬいぐるみを提供するものである。
【課題を解決するための手段】
【０００７】
上記の目的を達成するため、本発明に係るぬいぐるみは、人の手を挿入する挿入口が開口された筒状の胴体部と、この胴体部に連続する頭部とから構成され、頭部には、挿入された手で操作することにより上下に開閉する口部が形成されるとともに、口部の上半部および下半部と略同一寸法の一対の平板が、各半部にそれぞれ装着されることを特徴とする。
【０００８】
この発明によれば、使用者が挿入口から手を挿入して操作することにより、口部を開閉することができる。したがって、簡単な構成で、ぬいぐるみを動かすことができるとともに、構成が簡単であることから軽量であり、力が弱い子どもでも、手軽に扱うことができる。
【０００９】
また、口部に上半部および下半部と略同一寸法の一対の平板が、各半部にそれぞれ装着されているので、口部の上半部と下半部とが、それぞれ一体として動作する。このため、使用者が手を挿入して、その手指を動かすだけで、口部を大きく開閉することができる。したがって、使用者が口部を自在に開閉して、その動きを楽しんだり、口部を大きく開いて、物を挟んでから閉じることで、物を運ぶような遊び方をすることができる。
【００１０】
本発明は、前記頭部には、音声チップを含む回路板、スピーカー、バッテリー、スイッチからなる音声装置が配置されるとともに、この音声装置のスイッチが口部に備えられ、口部の開閉によりスイッチのオン／オフが選択されて、音声の出力が制御されることを特徴とする。
【００１１】
この発明によれば、口部の開閉に応じて、音声が出力されるので、使用者が手を挿入して、その手指を動かすことにより、自在に音声を出力させることができる。したがって、使用者の意思によって、自らの手指を動かすことで、口部を開閉させるとともに音声を出力させることができ、多様な遊び方をすることができる。
【発明の効果】
【００１２】
本発明に係るぬいぐるみによれば、使用者が手軽に扱うことができ、かつ、多様な方法で遊ぶことができる。
【発明を実施するための最良の形態】
【００１３】
以下、本発明の実施の形態について、図を参照して説明する。
【００１４】
図１には、本実施形態のぬいぐるみ１の全体が示されている。
【００１５】
このぬいぐるみ１は、人の手を挿入する挿入口２０が開口された筒状の胴体部２と、この胴体部２に連続する頭部３と、から構成されている。
【００１６】
胴体部２には、左右の腕部２１が形成されており、ぬいぐるみ全体として、動物（本実施形態では、一例としてパンダを表している。）の形態をなすように構成されている。
【００１７】
この腕部２１も筒状に形成されており、使用者の手指を挿入して動かすことができるように図られている。
【００１８】
頭部３には、使用者が手を挿入して、その手指で操作することにより上下に開閉する口部４が形成されている。
【００１９】
この口部４は、上半部４ａと下半部４ｂとから構成され、各半部４ａ、４ｂに、可撓性部材からなる上下一対の平板５がそれぞれ装着されている（図２参照）。
【００２０】
各平板５ａ、５ｂは、上半部４ａ、下半部４ｂと略同一寸法に形成されており、上半部４ａと下半部４ｂとが、それぞれ一体として動作するように図られている。また、図３（ａ）に示すように、後端部側に突き出し部５１が形成されており、各突き出し部５１で縫着されることで連結されている（図３（ｂ）参照）。このように各平板５ａ、５ｂは連結されているので、互いに離隔する方向に力が作用すると、各平板５ａ、５ｂが撓むことにより、復元力が生じる。
【００２１】
また、口部４は、外力が作用しない初期状態において開いた状態になるように、形成されている。したがって、各平板５ａ、５ｂが互いに近接する方向に力が作用した場合にも、復元力が生じる。
【００２２】
なお、平板５は、上記した構成に限定されるものではなく、例えば、可撓性部材からなる薄板が折り曲げられて、一対の平板５ａ，５ｂを構成しているものであってもよい。
【００２３】
さらに、音声チップを含む回路板、スピーカー、バッテリー、スイッチ６１からなる音声装置６が、頭部３に配置されている。この音声装置６のスイッチ６１は、上半部４ａに装着される平板５ａに形成された開口部５０から作動片６２が突出するように、口部４に配置されている（図２、図３（ａ）参照）。したがって、口部４を閉じたときには、上半部４ａから突出した作動片６２が押込まれるので、スイッチ６１が入り、スピーカーから音声が出力される。一方、口部４を開けて、上半部４ａと下半部４ｂとを離隔させると、作動片６２が突出するので、スイッチ６１が遮断されて、音声は出力されなくなる。
【００２４】
なお、本実施形態のぬいぐるみ１では、口部４を閉じた状態から開くときに音声が出力されるように、音声装置６が制御されているが、かかる形態に限定されるものではない。
【００２５】
次に、上記構成のぬいぐるみ１の使用方法を説明する。
【００２６】
外力が作用しない初期状態では、口部４は開いた状態となっており、スイッチ６１は遮断されている。
【００２７】
使用者は、まず、胴体部２の挿入口２０から手を挿入して、頭部３、および腕部２１に手指を差し込む。このときに、口部４の上半部４ａと下半部４ｂを挟んで動かすことができるように手指を配置する。
【００２８】
なお、腕部２１に手指を差し込むのは、任意である。
【００２９】
次いで、口部４の上半部４ａと下半部４ｂとが近接するように手指を動かして、口部４を閉じる。このとき、スイッチ６１の作動片６２が押込まれて、スイッチ６１が入る。
【００３０】
続いて、口部４の上半部４ａと下半部４ｂとが離隔するように手指を動かすと、各半部４ａ、４ｂが合わされた状態から離隔する際、音声装置６のスピーカーから音声が出力される。
【００３１】
なお、上半部４ａと下半部４ｂとが離隔されている状態では、スイッチ６１が遮断されているので、音声は出力されない。
【００３２】
このように、口部４の上半部４ａと下半部４ｂとを、近接あるいは離隔させることで、口部４を大きく開閉させることができる。したがって、その動きを楽しむことができるとともに、例えば、大きく開いた口部４に物を挟んで、閉じることで、物を運んで遊ぶことができる。また、口部４の開閉に応じて、音声を出力させることができ、使用者のアイデア次第で多様な遊び方をすることができる。
【００３３】
さらに、口部４が開いた初期状態から口部４の開閉動作に応じて一対の平板５ａ、５ｂ間に復元力が生じるので、初期状態から口部を閉じるときには、開く向きに力を受け、初期状態から開いたときには、閉じる向きに力を受ける。したがって、口部４の開閉動作をスムーズに行なうことができるとともに、手指の運動にもなる。
【産業上の利用可能性】
【００３４】
本発明は、構成が簡単で、使用者が手軽に扱うことができ、かつ、多様に遊ぶことができるぬいぐるみに適用できる。
【図面の簡単な説明】
【００３５】
【図１】本発明に係るぬいぐるみの全体を示す斜視図である。
【図２】図１のぬいぐるみに装着される平板を示す斜視図である。
【図３】図２の平板を示す平面図、および断面図である。
【符号の説明】
【００３６】
１      ぬいぐるみ
２      胴体部
２０    挿入口
３      頭部
４      口部
４ａ    上半部
４ｂ    下半部
５      平板
６      音声装置
６１    スイッチ
【図１】
2005261579.tif 000003
【図２】
2005261579.tif 000004
【図３】
2005261579.tif 000005